(57)【要約】  空調機１は、熱交換ユニット２１を備え、熱交換ユニット２１は、一対の熱交換器２２、２３と、一対の熱交換器２２、２３の間の空間Ｓの内部に位置する第１領域２７ａと、空間Ｓの外部に位置する第２領域２７ｂと、が形成される状態で配設された仕切板２７と、を有し、一対の熱交換器２２、２３のうちの一方の熱交換器が他方の熱交換器の上方に並設され、且つ、仕切板２７の第２領域２７ｂが第１領域２７ａの下流側に位置する姿勢で設置され、仕切板２７の第２領域２７ｂに、排水経路の入口部が形成されたものである。
2016042643.tif 000002
【特許請求の範囲】
【請求項１】
内部に風路が形成された本体と、
前記風路に配設された熱交換ユニットと、を備え、
前記熱交換ユニットは、
並設された第１熱交換器及び第２熱交換器と、
前記第１熱交換器と前記第２熱交換器との間の空間の内部に位置する第１領域と、前記空間の外部に位置する第２領域と、が形成される状態で配設された仕切板と、を有し、
前記本体は、第１設置状態において、前記風路に生じる気流が前記熱交換ユニットを重力方向と交差する方向に向かって通過する姿勢で設置され、
前記熱交換ユニットは、前記第１設置状態において、前記第１熱交換器が前記第２熱交換器の上方に並設され、且つ、前記仕切板の前記第２領域が前記第１領域の下流側に位置する姿勢で設置され、
前記仕切板の前記第２領域に、前記本体の外部に連通する排水経路の入口部が形成された、空調機。
【請求項２】
前記第１熱交換器及び前記第２熱交換器は、Ｖ字状に並設され、
前記仕切板は、前記第１熱交換器の前記第２熱交換器に近い側の第１端部と前記第２熱交換器の前記第１熱交換器に近い側の第２端部との間が、前記第１領域及び前記第２領域の境界となる状態で配設された、請求項１に記載の空調機。
【請求項３】
前記本体は、前記第１設置状態において、前記風路に生じる気流が前記熱交換ユニットを水平方向に向かって通過する姿勢で設置され、
前記熱交換ユニットは、前記第１設置状態において、前記第１熱交換器及び前記第２熱交換器が水平面を基準として対称に並設される姿勢で設置され、
前記仕切板は、該仕切板と前記第１熱交換器との相対角度と、該仕切板と前記第２熱交換器との相対角度と、が等しくなる状態で配設された、請求項２に記載の空調機。
【請求項４】
前記熱交換ユニットは、
前記第１端部及び前記第２端部のそれぞれを塞ぐ一対の端部塞ぎ部を含む塞ぎ板を有する、請求項２又は３に記載の空調機。
【請求項５】
前記塞ぎ板は、前記一対の端部塞ぎ部の間を連結し、第１貫通穴が形成された連結部を含み、
前記仕切板は、前記第１貫通穴に隙間を有する状態で挿入された、請求項４に記載の空調機。
【請求項６】
前記熱交換ユニットは、
第１ドレンパンを有し、
前記第１設置状態において、前記第１ドレンパンが前記入口部の下方に位置して前記排水経路の途中部となる姿勢で設置される、請求項１〜５の何れか一項に記載の空調機。
【請求項７】
前記仕切板は、前記第１ドレンパンに保持された、請求項６に記載の空調機。
【請求項８】
前記熱交換ユニットは、
前記仕切板を基準とする前記第１ドレンパンの反対側に配設された第２ドレンパンを有する、請求項６又は７に記載の空調機。
【請求項９】
前記仕切板は、前記第２ドレンパンに保持された、請求項８に記載の空調機。
【請求項１０】
前記第１ドレンパンに、排水部が形成され、
前記入口部における流路断面積は、前記排水部の流路断面積と比較して大きい、請求項６〜９の何れか一項に記載の空調機。
【請求項１１】
前記入口部は、前記第２領域に形成された第２貫通穴である、請求項１〜１０の何れか一項に記載の空調機。
【発明の詳細な説明】
【技術分野】
【０００１】
本発明は、空調機に関するものである。
【背景技術】
【０００２】
従来の空調機として、例えば、内部に風路が形成された本体と、風路内にＶ字状に並設された一対の熱交換器と、を備えたものがある。一対の熱交換器がＶ字状に並設されることで、本体がコンパクト化される。本体は、風路に生じる気流が一対の熱交換器を水平方向に向かって通過する姿勢で設置される。また、一対の熱交換器は、水平面を基準として対称に並設される。一対の熱交換器の下方には、ドレンパンが配設される（例えば、特許文献１を参照）。
【先行技術文献】
【特許文献】
【０００３】
【特許文献１】米国特許第４０００７７９号明細書（第２欄第３６行〜第５欄第３７行、図１〜図４）
【発明の概要】
【発明が解決しようとする課題】
【０００４】
そのような空調機では、上側に位置する熱交換器で生じた凝縮水と、下側に位置する熱交換器で生じた凝縮水と、の両方が、下側に位置する熱交換器の下端部に集まり、その下端部から大量の凝縮水がドレンパンに落下することとなるため、凝縮水がドレンパン外に飛散して、水漏れ等が生じてしまうという問題点があった。また、上側に位置する熱交換器の下端部から落下する凝縮水が、ドレンパンで跳ねてドレンパン外に飛散することを抑制するために、上側に位置する熱交換器の下端部の下流側にガイド板が配設されているものの、ガイド板の排水口が凝縮水を受ける部分の上流側に形成されており、凝縮水が気流に逆らって流下する必要があるため、ガイド板に落下した凝縮水の排水性が悪いという問題点があった。【０００５】
本発明は、上記のような課題を背景としてなされたものであり、凝縮水がドレンパン外に飛散することの抑制と、凝縮水の排水性の向上と、が両立された空調機を得るものである。
【課題を解決するための手段】
【０００６】
本発明に係る空調機は、内部に風路が形成された本体と、前記風路に配設された熱交換ユニットと、を備え、前記熱交換ユニットは、並設された第１熱交換器及び第２熱交換器と、前記第１熱交換器と前記第２熱交換器との間の空間の内部に位置する第１領域と、前記空間の外部に位置する第２領域と、が形成される状態で配設された仕切板と、を有し、前記本体は、第１設置状態において、前記風路に生じる気流が前記熱交換ユニットを重力方向と交差する方向に向かって通過する姿勢で設置され、前記熱交換ユニットは、前記第１設置状態において、前記第１熱交換器が前記第２熱交換器の上方に並設され、且つ、前記仕切板の前記第２領域が前記第１領域の下流側に位置する姿勢で設置され、前記仕切板の前記第２領域に、前記本体の外部に連通する排水経路の入口部が形成されたものである。
【発明の効果】
【０００７】
本発明に係る空調機では、第２熱交換器の上方に並設される第１熱交換器で生じる凝縮水を、仕切板の、第１熱交換器と第２熱交換器との間の空間の外部に位置する第２領域に形成された排水経路の入口部から、本体の外部に排出できるため、第２熱交換器の下端部から大量の凝縮水がドレンパンに落下して、凝縮水がドレンパン外に飛散することが抑制される。また、凝縮水が気流を利用して排水経路の入口部に導かれるため、凝縮水の排水性が向上される。
【図面の簡単な説明】
【０００８】
【図１】本発明の実施の形態１に係る空調機の、吹出方向が上向きの設置状態での斜視図である。
【図２】本発明の実施の形態１に係る空調機の、吹出方向が上向きの設置状態での断面図である。
【図３】本発明の実施の形態１に係る空調機の、吹出方向が下向きの設置状態での斜視図である。
【図４】本発明の実施の形態１に係る空調機の、吹出方向が下向きの設置状態での断面図である。
【図５】本発明の実施の形態１に係る空調機の、吹出方向が右向きの設置状態での斜視図である。
【図６】本発明の実施の形態１に係る空調機の、吹出方向が右向きの設置状態での断面図である。
【図７】本発明の実施の形態１に係る空調機の、吹出方向が左向きの設置状態での斜視図である。
【図８】本発明の実施の形態１に係る空調機の、吹出方向が左向きの設置状態での断面図である。
【図９】本発明の実施の形態１に係る空調機の、熱交換ユニットの斜視図である。
【図１０】本発明の実施の形態１に係る空調機の、熱交換ユニットの断面図である。
【図１１】本発明の実施の形態１に係る空調機の、熱交換ユニットの一部を分解した状態での部分斜視図である。
【図１２】本発明の実施の形態１に係る空調機の、熱交換ユニットの部分断面図である。
【発明を実施するための形態】
【０００９】
以下、本発明に係る空調機について、図面を用いて説明する。
なお、以下で説明する構成等は、一例にすぎず、本発明に係る空調機は、そのような構成等である場合に限定されない。また、構成等の細かい説明については、適宜簡略化又は省略している。また、重複又は類似する説明については、適宜簡略化又は省略している。
【００１０】
実施の形態１．
実施の形態１に係る空調機について説明する。
＜空調機の全体構成＞
まず、実施の形態１に係る空調機の全体構成について説明する。
【００１１】
（吹出方向が上向きの設置状態）
図１は、本発明の実施の形態１に係る空調機の、吹出方向が上向きの設置状態での斜視図である。図２は、本発明の実施の形態１に係る空調機の、吹出方向が上向きの設置状態での断面図である。なお、図１及び図２では、気流を墨付き矢印で示している。吹出方向が上向きの設置状態は、標準的に使用される設置状態である。つまり、空調機１は、現地の使用環境に応じて、吹出方向を変更して設置することが可能である。
【００１２】
図１及び図２に示されるように、空調機１は、本体１１と、熱交換ユニット２１と、を備える。本体１１は、内部に風路１２ａが形成された筐体１２と、風路１２ａに配設された送風機１３と、を有する。送風機１３が駆動すると、筐体１２の長手方向の一方の端部に形成された吸込口１２ｂから風路１２ａに流入して、筐体１２の長手方向の他方の端部に形成された吹出口１２ｃから流出する気流が生じる。
【００１３】
風路１２ａの送風機１３の下流側に、熱交換ユニット２１が設置される。つまり、本体１１は、風路１２ａに生じる気流が熱交換ユニット２１を重力方向と反対方向に向かって通過する姿勢で設置される。
【００１４】
熱交換ユニット２１は、Ｖ字状に並設された一対の熱交換器２２、２３と、第１主ドレンパン２４と、第２主ドレンパン２５と、を有する。熱交換ユニット２１は、一体的に着脱される。熱交換ユニット２１の構成は、後に詳述される。
【００１５】
熱交換ユニット２１は、熱交換器２２の熱交換器２３に近い側の端部２２ａと、熱交換器２３の熱交換器２２に近い側の端部２３ａと、が、下流側を向く、つまり上方を向く姿勢で設置される。つまり、熱交換器２２及び熱交換器２３は、鉛直面Ｐｖを基準として対称に並設され、熱交換器２２と熱交換器２３との間の空間Ｓは、上方に向かって徐々に狭くなる。また、第１主ドレンパン２４は、熱交換器２２及び熱交換器２３の下方に位置する。
【００１６】
風路１２ａに生じる気流は、熱交換器２２と熱交換器２３との間の空間Ｓを通過した後に、熱交換器２２及び熱交換器２３を通過して、冷却又は加熱される。熱交換器２２及び熱交換器２３で生じる凝縮水は、第１主ドレンパン２４に流入し、第１主ドレンパン２４から本体１１の外部に排出される。
【００１７】
（吹出方向が下向きの設置状態）
図３は、本発明の実施の形態１に係る空調機の、吹出方向が下向きの設置状態での斜視図である。図４は、本発明の実施の形態１に係る空調機の、吹出方向が下向きの設置状態での断面図である。なお、図３及び図４では、気流を墨付き矢印で示している。
【００１８】
図３及び図４に示されるように、風路１２ａの送風機１３の下流側に、熱交換ユニット２１が設置される。つまり、本体１１は、風路１２ａに生じる気流が熱交換ユニット２１を重力方向に向かって通過する姿勢で設置される。
【００１９】
熱交換ユニット２１は、熱交換器２２の熱交換器２３に近い側の端部２２ａと、熱交換器２３の熱交換器２２に近い側の端部２３ａと、が、上流側を向く、つまり上方を向く姿勢で設置される。つまり、熱交換器２２及び熱交換器２３は、鉛直面Ｐｖを基準として対称に並設され、熱交換器２２と熱交換器２３との間の空間Ｓは、上方に向かって徐々に狭くなる。また、第１主ドレンパン２４は、熱交換器２２及び熱交換器２３の下方に位置する。
【００２０】
吹出方向が上向きの設置状態から吹出方向が下向きの設置状態に変更する際は、熱交換ユニット２１を取り外して本体１１を上下反転させた後、熱交換ユニット２１を取り外す前と同じ姿勢で設置すればよい。
【００２１】
風路１２ａに生じる気流は、熱交換器２２及び熱交換器２３を通過して、冷却又は加熱された後に、熱交換器２２と熱交換器２３との間の空間Ｓを通過する。熱交換器２２及び熱交換器２３で生じる凝縮水は、第１主ドレンパン２４に流入し、第１主ドレンパン２４から本体１１の外部に排出される。
【００２２】
（吹出方向が右向きの設置状態）
図５は、本発明の実施の形態１に係る空調機の、吹出方向が右向きの設置状態での斜視図である。図６は、本発明の実施の形態１に係る空調機の、吹出方向が右向きの設置状態での断面図である。なお、図５及び図６では、気流を墨付き矢印で示している。吹出方向が右向きの設置状態は、本発明における「第１設置状態」に相当する。
【００２３】
図５及び図６に示されるように、風路１２ａの送風機１３の下流側に、熱交換ユニット２１が設置される。つまり、本体１１は、風路１２ａに生じる気流が熱交換ユニット２１を水平方向に向かって通過する姿勢で設置される。
【００２４】
熱交換ユニット２１は、熱交換器２２が熱交換器２３の上方に並設され、且つ、熱交換器２２の熱交換器２３に近い側の端部２２ａと、熱交換器２３の熱交換器２２に近い側の端部２３ａと、が、下流側を向く、つまり右方を向く姿勢で設置される。つまり、熱交換器２２及び熱交換器２３は、水平面Ｐｈを基準として対称に並設され、熱交換器２２と熱交換器２３との間の空間Ｓは、右方に向かって徐々に狭くなる。また、第２主ドレンパン２５は、熱交換器２２及び熱交換器２３の下方に位置する。熱交換器２２は、本発明における「第１熱交換器」に相当し、熱交換器２３は、本発明における「第２熱交換器」に相当する。端部２２ａは、本発明における「第１端部」に相当し、端部２３ａは、本発明における「第２端部」に相当する。
【００２５】
吹出方向が上向きの設置状態から吹出方向が右向きの設置状態に変更する際は、図１及び図２に示される状態から、本体１１を右側面が下側になる方向に倒せばよい。
【００２６】
風路１２ａに生じる気流は、熱交換器２２と熱交換器２３との間の空間Ｓを通過した後に、熱交換器２２及び熱交換器２３を通過して、冷却又は加熱される。熱交換器２２及び熱交換器２３で生じる凝縮水は、第２主ドレンパン２５に流入し、第２主ドレンパン２５から本体１１の外部に排出される。
【００２７】
（吹出方向が左向きの設置状態）
図７は、本発明の実施の形態１に係る空調機の、吹出方向が左向きの設置状態での斜視図である。図８は、本発明の実施の形態１に係る空調機の、吹出方向が左向きの設置状態での断面図である。なお、図７及び図８では、気流を墨付き矢印で示している。吹出方向が左向きの設置状態は、本発明における「第１設置状態」に相当する。
【００２８】
図７及び図８に示されるように、風路１２ａの送風機１３の下流側に、熱交換ユニット２１が設置される。つまり、本体１１は、風路１２ａに生じる気流が熱交換ユニット２１を水平方向に向かって通過する姿勢で設置される。
【００２９】
熱交換ユニット２１は、熱交換器２３が熱交換器２２の上方に並設され、且つ、熱交換器２２の熱交換器２３に近い側の端部２２ａと、熱交換器２３の熱交換器２２に近い側の端部２３ａと、が、下流側を向く、つまり左方を向く姿勢で設置される。つまり、熱交換器２２及び熱交換器２３は、水平面Ｐｈを基準として対称に並設され、熱交換器２２と熱交換器２３との間の空間Ｓは、左方に向かって徐々に狭くなる。また、第２主ドレンパン２５は、熱交換器２２及び熱交換器２３の下方に位置する。熱交換器２３は、本発明における「第１熱交換器」に相当し、熱交換器２２は、本発明における「第２熱交換器」に相当する。端部２３ａは、本発明における「第１端部」に相当し、端部２２ａは、本発明における「第２端部」に相当する。
【００３０】
吹出方向が上向きの設置状態から吹出方向が左向きの設置状態に変更する際は、図１及び図２に示される状態から、本体１１を左側面が下側になる方向に倒した後、熱交換ユニット２１を取り外し、熱交換器２３の上方に取り付けられた第２主ドレンパン２５を熱交換器２２の下方に取り付け直して、熱交換ユニット２１を取り外す前と同じ姿勢で設置すればよい。
【００３１】
風路１２ａに生じる気流は、熱交換器２２と熱交換器２３との間の空間Ｓを通過した後に、熱交換器２２及び熱交換器２３を通過して、冷却又は加熱される。熱交換器２２及び熱交換器２３で生じる凝縮水は、第２主ドレンパン２５に流入し、第２主ドレンパン２５から本体１１の外部に排出される。
【００３２】
＜熱交換ユニットの構成＞
次に、実施の形態１に係る空調機の、熱交換ユニットの構成について説明する。
図９は、本発明の実施の形態１に係る空調機の、熱交換ユニットの斜視図である。図１０は、本発明の実施の形態１に係る空調機の、熱交換ユニットの断面図である。図１１は、本発明の実施の形態１に係る空調機の、熱交換ユニットの一部を分解した状態での部分斜視図である。図１２は、本発明の実施の形態１に係る空調機の、熱交換ユニットの部分断面図である。なお、図９では、空調機１が、吹出方向が上向き又は下向きの設置状態で使用される状態での、熱交換ユニット２１を示している。また、図１０〜図１２では、空調機１が、吹出方向が右向きの設置状態で使用される状態での、熱交換ユニット２１を示している。また、図１０及び図１２では、気流を墨付き矢印で示している。また、図１２では、凝縮水の流れ方向を白抜き矢印で示している。
【００３３】
図９〜図１２に示されるように、Ｖ字状に並設された一対の熱交換器２２、２３の間に、空間Ｓが形成され、空間Ｓの両側の側部のそれぞれは、一対の風路板２６によって塞がれる。そのため、空調機１が、吹出方向が右向き及び左向きの設置状態で使用される状態では、一対の熱交換器２２、２３を通って、空間Ｓの内部から空間Ｓの外部に向かう気流が生じる。
【００３４】
そして、熱交換ユニット２１は、空間Ｓの内部に位置する第１領域２７ａと、空間Ｓの外部に位置する第２領域２７ｂと、が形成される状態で配設された仕切板２７を有する。仕切板２７は、熱交換器２２の熱交換器２３に近い側の端部２２ａと、熱交換器２３の熱交換器２２に近い側の端部２３ａと、の間が、第１領域２７ａと第２領域２７ｂとの境界となる状態で配設される。つまり、空調機１が、吹出方向が右向き及び左向きの設置状態で使用される状態では、第２領域２７ｂは、第１領域２７ａの下流側に位置する。また、仕切板２７は、仕切板２７と熱交換器２２との相対角度と、仕切板２７と熱交換器２３との相対角度と、が等しくなる状態で配設される。つまり、空調機１が、吹出方向が右向き及び左向きの設置状態で使用される状態では、仕切板２７は、水平になる。
【００３５】
仕切板２７は、端部２２ａを塞ぐ端部塞ぎ部２８ａと、端部２３ａを塞ぐ端部塞ぎ部２８ｂと、それらを連結し、第１貫通穴２８ｄが形成された連結部２８ｃと、を有する塞ぎ板２８の、第１貫通穴２８ｄに、隙間を有する状態で挿入される。熱交換器２２の端部２２ａと熱交換器２３の端部２３ａとが、塞ぎ板２８によって塞がれることで、気流が熱交換器２２の端部２２ａと熱交換器２３の端部２３ａとを通り抜けることが抑制される。また、塞ぎ板２８は、熱交換器２２の端部２２ａと熱交換器２３の端部２３ａとを固定する。
【００３６】
仕切板２７の第２領域２７ｂの表裏の両側のそれぞれには、一対の副ドレンパン２９、３０が配設される。仕切板２７が一対の副ドレンパン２９、３０に挟まれて保持されることで、仕切板２７と第１貫通穴２８ｄとの位置関係が維持される。また、一対の副ドレンパン２９、３０は、塞ぎ板２８に保持される。空調機１が、吹出方向が右向きの設置状態で使用される状態では、副ドレンパン２９が、仕切板２７の第２領域２７ｂに形成された第２貫通穴２７ｃの下方に位置し、空調機１が、吹出方向が左向きの設置状態で使用される状態では、副ドレンパン３０が、仕切板２７の第２領域２７ｂに形成された第２貫通穴２７ｃの下方に位置する。空調機１が、吹出方向が右向きの設置状態で使用される状態において、副ドレンパン２９は、本発明における「第１ドレンパン」に相当し、副ドレンパン３０は、本発明における「第２ドレンパン」に相当する。空調機１が、吹出方向が左向きの設置状態で使用される状態において、副ドレンパン３０は、本発明における「第１ドレンパン」に相当し、副ドレンパン２９は、本発明における「第２ドレンパン」に相当する。
【００３７】
図１２に示されるように、空調機１が、吹出方向が右向きの設置状態で使用される状態では、上方に位置する熱交換器２２で生じた凝縮水は、仕切板２７の第１領域２７ａの上面に流下し、気流によって、第１貫通穴２８ｄを通って第２領域２７ｂに導かれる。第２領域２７ｂに形成された第２貫通穴２７ｃは、排水経路の入口部として機能するものであり、第２領域２７ｂに流入した凝縮水は、第２貫通穴２７ｃを介して、副ドレンパン２９に流入する。副ドレンパン２９に流入した凝縮水は、傾斜面を流下して、副ドレンパン２９に形成された副排水口２９ａに導かれ、副排水口２９ａに接続された排水チューブを介して、第２主ドレンパン２５に流入する。第２主ドレンパン２５に流入した凝縮水は、傾斜面を流下して、第２主ドレンパン２５に形成された主排水口２５ａに導かれ、本体１１の外部に排出される。また、下方に位置する熱交換器２３で生じた凝縮水は、第２主ドレンパン２５に直接落下し、第２主ドレンパン２５に形成された主排水口２５ａを介して、本体１１の外部に排出される。空調機１が、吹出方向が右向きの設置状態で使用される状態において、副排水口２９ａは、本発明における「排水部」に相当する。図９〜図１２に示されるように、副排水口２９ａが複数形成される場合には、副排水口２９ａのそれぞれは、本発明における「排水部」の一部に相当する。
【００３８】
第２貫通穴２７ｃの穴面積、つまり排水経路の入口部の流路断面積は、副排水口２９ａの穴面積（副排水口２９ａが複数形成される場合には、穴面積の合計）、つまり副ドレンパン２９に形成された排水部の流路断面積と比較して、大きい。このように構成されることで、排水経路において、オーバーフロー、詰まり等が発生することが抑制される。また、副排水口２９ａの穴面積（副排水口２９ａが複数形成される場合には、穴面積の合計）、つまり副ドレンパン２９に形成された排水部の流路断面積は、主排水口２５ａの穴面積（主排水口２５ａが複数形成される場合には、穴面積の合計）、つまり第２主ドレンパン２５に形成された排水部の流路断面積と比較して、大きい。また、塞ぎ板２８に形成された第１貫通穴２８ｄの穴面積は、第２貫通穴２７ｃの穴面積、つまり排水経路の入口部の流路断面積と比較して、小さく、また、副排水口２９ａの穴面積（副排水口２９ａが複数形成される場合には、穴面積の合計）、つまり副ドレンパン２９に形成された排水部の流路断面積と比較して、大きい。
【００３９】
また、空調機１が、吹出方向が左向きの設置状態で使用される状態でも、吹出方向が右向きの設置状態で使用される状態と同様に、上方に位置する熱交換器２３で生じた凝縮水は、仕切板２７の第１領域２７ａの上面に流下し、気流によって、第１貫通穴２８ｄを通って第２領域２７ｂに導かれる。第２領域２７ｂに流入した凝縮水は、第２貫通穴２７ｃを介して、副ドレンパン３０に流入する。副ドレンパン３０に流入した凝縮水は、傾斜面を流下して、副ドレンパン３０に形成された副排水口３０ａに導かれ、副排水口３０ａに接続された排水チューブを介して、第２主ドレンパン２５に流入する。第２主ドレンパン２５に流入した凝縮水は、傾斜面を流下して、第２主ドレンパン２５に形成された主排水口２５ａに導かれ、本体１１の外部に排出される。また、下方に位置する熱交換器２２で生じた凝縮水は、第２主ドレンパン２５に直接落下し、第２主ドレンパン２５に形成された主排水口２５ａを介して、本体１１の外部に排出される。空調機１が、吹出方向が左向きの設置状態で使用される状態において、副排水口３０ａは、本発明における「排水部」に相当する。図９〜図１２に示されるように、副排水口３０ａが複数形成される場合には、副排水口３０ａのそれぞれは、本発明における「排水部」の一部に相当する。
【００４０】
第２貫通穴２７ｃの穴面積、つまり排水経路の入口部の流路断面積は、副排水口３０ａの穴面積（副排水口３０ａが複数形成される場合には、穴面積の合計）、つまり副ドレンパン３０に形成された排水部の流路断面積と比較して、大きい。このように構成されることで、排水経路において、オーバーフロー、詰まり等が発生することが抑制される。また、副排水口３０ａの穴面積（副排水口３０ａが複数形成される場合には、穴面積の合計）、つまり副ドレンパン３０に形成された排水部の流路断面積は、主排水口２５ａの穴面積（主排水口２５ａが複数形成される場合には、穴面積の合計）、つまり第２主ドレンパン２５に形成された排水部の流路断面積と比較して、大きい。また、塞ぎ板２８に形成された第１貫通穴２８ｄの穴面積は、副排水口３０ａの穴面積（副排水口３０ａが複数形成される場合には、穴面積の合計）、つまり副ドレンパン３０に形成された排水部の流路断面積と比較して、大きい。
【００４１】
気流の通過方向における仕切板２７の長さは、例えば、７０ｍｍ程度である。仕切板２７の長さは、上方に位置する熱交換器２２又は熱交換器２３で生じる凝縮水が、下方に位置する熱交換器２３又は熱交換器２２に流下することが、充分に抑制できる長さに設定されるとよい。
【符号の説明】
【００４２】
１  空調機、１１  本体、１２  筐体、１２ａ  風路、１２ｂ  吸込口、１２ｃ  吹出口、１３  送風機、２１  熱交換ユニット、２２、２３  熱交換器、２２ａ、２３ａ  端部、２４  第１主ドレンパン、２５  第２主ドレンパン、２５ａ  主排水口、２６  風路板、２７  仕切板、２７ａ  第１領域、２７ｂ  第２領域、２７ｃ  第２貫通穴、２８  塞ぎ板、２８ａ、２８ｂ  端部塞ぎ部、２８ｃ  連結部、２８ｄ  第１貫通穴、２９、３０  副ドレンパン、２９ａ、３０ａ  副排水口、Ｐｖ  鉛直面、Ｐｈ  水平面、Ｓ  空間。
【図１】
2016042643.tif 000003
【図２】
2016042643.tif 000004
【図３】
2016042643.tif 000005
【図４】
2016042643.tif 000006
【図５】
2016042643.tif 000007
【図６】
2016042643.tif 000008
【図７】
2016042643.tif 000009
【図８】
2016042643.tif 000010
【図９】
2016042643.tif 000011
【図１０】
2016042643.tif 000012
【図１１】
2016042643.tif 000013
【図１２】
2016042643.tif 000014
【手続補正書】
【提出日】平成28年11月28日(2016.11.28)
【手続補正１】
【補正対象書類名】明細書
【補正対象項目名】０００６
【補正方法】変更
【補正の内容】
【０００６】
本発明に係る空調機は、内部に風路が形成された本体と、前記風路に配設された熱交換ユニットと、を備え、前記熱交換ユニットは、並設された第１熱交換器及び第２熱交換器と、前記第１熱交換器と前記第２熱交換器との間の空間の内部に位置する第１領域と、前記空間の外部に位置する第２領域と、が形成される状態で配設された仕切板と、を有し、前記本体は、第１設置状態において、前記風路に生じる気流が前記熱交換ユニットを重力方向と交差する方向に向かって通過する姿勢で設置され、前記熱交換ユニットは、前記第１設置状態において、前記第１熱交換器が前記第２熱交換器の上方に並設され、且つ、前記風路に生じる気流の流れ方向において前記仕切板の前記第２領域が前記第１領域の下流側に位置する姿勢で設置され、前記仕切板の前記第２領域に、前記本体の外部に連通する排水経路の入口部が形成されたものである。
【手続補正２】
【補正対象書類名】特許請求の範囲
【補正対象項目名】全文
【補正方法】変更
【補正の内容】
【特許請求の範囲】
【請求項１】
内部に風路が形成された本体と、
前記風路に配設された熱交換ユニットと、を備え、
前記熱交換ユニットは、
並設された第１熱交換器及び第２熱交換器と、
前記第１熱交換器と前記第２熱交換器との間の空間の内部に位置する第１領域と、前記空間の外部に位置する第２領域と、が形成される状態で配設された仕切板と、を有し、
前記本体は、第１設置状態において、前記風路に生じる気流が前記熱交換ユニットを重力方向と交差する方向に向かって通過する姿勢で設置され、
前記熱交換ユニットは、前記第１設置状態において、前記第１熱交換器が前記第２熱交換器の上方に並設され、且つ、前記風路に生じる気流の流れ方向において前記仕切板の前記第２領域が前記第１領域の下流側に位置する姿勢で設置され、
前記仕切板の前記第２領域に、前記本体の外部に連通する排水経路の入口部が形成された、空調機。
【請求項２】
前記第１熱交換器及び前記第２熱交換器は、Ｖ字状に並設され、
前記仕切板は、前記第１熱交換器の前記第２熱交換器に近い側の第１端部と前記第２熱交換器の前記第１熱交換器に近い側の第２端部との間が、前記第１領域及び前記第２領域の境界となる状態で配設された、請求項１に記載の空調機。
【請求項３】
前記本体は、前記第１設置状態において、前記風路に生じる気流が前記熱交換ユニットを水平方向に向かって通過する姿勢で設置され、
前記熱交換ユニットは、前記第１設置状態において、前記第１熱交換器及び前記第２熱交換器が水平面を基準として対称に並設される姿勢で設置され、
前記仕切板は、該仕切板と前記第１熱交換器との相対角度と、該仕切板と前記第２熱交換器との相対角度と、が等しくなる状態で配設された、請求項２に記載の空調機。
【請求項４】
前記熱交換ユニットは、
前記第１端部及び前記第２端部のそれぞれを塞ぐ一対の端部塞ぎ部を含む塞ぎ板を有する、請求項２又は３に記載の空調機。
【請求項５】
前記塞ぎ板は、前記一対の端部塞ぎ部の間を連結し、第１貫通穴が形成された連結部を含み、
前記仕切板は、前記第１貫通穴に隙間を有する状態で挿入された、請求項４に記載の空調機。
【請求項６】
前記熱交換ユニットは、
第１ドレンパンを有し、
前記第１設置状態において、前記第１ドレンパンが前記入口部の下方に位置して前記排水経路の途中部となる姿勢で設置される、請求項１〜５の何れか一項に記載の空調機。
【請求項７】
前記仕切板は、前記第１ドレンパンに保持された、請求項６に記載の空調機。
【請求項８】
前記熱交換ユニットは、
前記仕切板を基準とする前記第１ドレンパンの反対側に配設された第２ドレンパンを有する、請求項６又は７に記載の空調機。
【請求項９】
前記仕切板は、前記第２ドレンパンに保持された、請求項８に記載の空調機。
【請求項１０】
前記第１ドレンパンに、排水部が形成され、
前記入口部における流路断面積は、前記排水部の流路断面積と比較して大きい、請求項６〜９の何れか一項に記載の空調機。
【請求項１１】
前記入口部は、前記第２領域に形成された第２貫通穴である、請求項１〜１０の何れか一項に記載の空調機。
【国際調査報告】
2016042643.tif 000015
2016042643.tif 000016
2016042643.tif 000017
2016042643.tif 000018